(57)【要約】【課題】ランプによる過熱を抑えた遊技機を提供する。【解決手段】前面扉の上部に設けられたリール表示装置２１１に、所定の遊技状態である旨の発光表示を行う左右の発光表示部が設けられており、例えば、左発光表示部２２１が、発光可能なＬＥＤランプと、ＬＥＤランプを内部に収容する左ランプハウス２２２と、左ランプハウス２２２の前部のランプ穴を覆う透光性を有するフロントカバー２０１とを有し、左ランプハウス２２２の後部に、左ランプハウス２２２の内部に仕切られて形成された５つの左ランプ収容空間２２３ａ〜２２３ｅが基体部の内部空間とそれぞれ連通するように５つの左連通穴２２９ａ〜２２９ｅが形成されている。【選択図】図１７
2014155515.tif 000002
【特許請求の範囲】
【請求項１】
前方に開口を有する箱状に形成された本体部材と、
前記本体部材に対して前記開口を開閉可能に取り付けられた開閉部材と、
前記開閉部材に形成された取付用開口に前記取付用開口を塞いで前方を向くように取り付けられ、所定の遊技状態である旨の発光表示が可能な発光表示装置とを備え、
前記発光表示装置は、発光可能なランプと、前記ランプを内部に収容して前記開閉部材に取り付けられるランプハウスと、前記ランプハウスの前部に形成されたランプ穴を覆う透光性を有するランプカバーとを有し、
前記ランプハウスの後部に、前記ランプハウスの内部空間が前記本体部材の内部空間と連通するように連通穴が形成されていることを特徴とする遊技機。
【請求項２】
前記発光表示装置は、前記ランプが配設されたランプ基板を有し、
前記ランプハウスの側部に、前記ランプハウスの内部空間に繋がるランプ取付穴が形成され、
前記ランプ基板は、前記ランプ取付穴を塞ぐように前記ランプハウスの側部に取り付けられ、
前記ランプは、前記ランプ取付穴を介して前記ランプハウスの内部空間に位置することを特徴とする請求項１に記載の遊技機。
【請求項３】
前記ランプ基板は、複数の前記ランプが一列に並んで配設されて構成され、
前記内部空間は、前記ランプハウスの内部において前記複数の前記ランプを個々に収容可能に一列に並んで仕切られた複数のランプ収容空間からなり、
前記ランプ取付穴は、前記ランプハウスの側部に、前記複数の前記ランプ収容空間にそれぞれ繋がるように一列に並んで複数形成され、
前記連通穴は、前記ランプハウスの後部に、前記複数の前記ランプ収容空間が前記本体部材の内部空間とそれぞれ連通するように複数形成され、
前記複数の前記ランプは、前記複数の前記ランプ取付穴を介して前記複数の前記ランプ収容空間に位置することを特徴とする請求項２に記載の遊技機。
【発明の詳細な説明】
【技術分野】
【０００１】
本発明は、スロットマシン等の遊技機に関する。
【背景技術】
【０００２】
遊技機の一種であるスロットマシンには、電飾装置や化粧板等の装飾部品が取り付けられている。またスロットマシンには、所定の遊技情報を発光表示するための発光表示装置が取り付けられている（例えば、特許文献１を参照）。電飾装置や発光表示装置は、スロットマシン内部への不正なアクセスを防止するため、光源であるランプがランプハウス内に収容された状態で、スロットマシンの各部に取り付けられる構造となっている。
【先行技術文献】
【特許文献】
【０００３】
【特許文献１】特開２０１１−６７６５７号公報
【発明の概要】
【発明が解決しようとする課題】
【０００４】
しかしながら、ランプハウス内にランプが収容された状態では、ランプからの放熱によってランプハウス内の温度が上昇し易いため、発光表示装置等の過熱が生じ易くなるおそれがあった。
【０００５】
本発明は、このような課題に鑑みてなされたものであり、ランプによる過熱を抑えた遊技機を提供することを目的とする。
【課題を解決するための手段】
【０００６】
このような目的達成のため、本発明に係る遊技機は、前方に開口を有する箱状に形成された本体部材と、前記本体部材に対して前記開口を開閉可能に取り付けられた開閉部材と、前記開閉部材に形成された取付用開口に前記取付用開口を塞いで前方を向くように取り付けられ、所定の遊技状態である旨の発光表示が可能な発光表示装置とを備え、前記発光表示装置は、発光可能なランプと、前記ランプを内部に収容して前記開閉部材に取り付けられるランプハウスと、前記ランプハウスの前部に形成されたランプ穴を覆う透光性を有するランプカバーとを有し、前記ランプハウスの後部に、前記ランプハウスの内部空間が前記本体部材の内部空間と連通するように連通穴が形成されている。
【発明の効果】
【０００７】
本発明によれば、ランプによる過熱をより確実に抑えることができる。
【図面の簡単な説明】
【０００８】
【図１】（ａ）はスロットマシンの斜視図であり、（ｂ）はスロットマシンの正面図である。
【図２】スロットマシンの内部構造を示す斜視図である。
【図３】スロットマシンの後面図である。
【図４】スロットマシンの前面扉を後方から見た分解斜視図である。
【図５】スロットマシンの制御機能を示したブロック図である。
【図６】スロットマシンの基体部を前方から見た分解斜視図である。
【図７】スロットマシンの基体部を示す平断面図である。
【図８】ハーネスガイドの平面図である。
【図９】（ａ）ハーネスガイドを前方から見た斜視図であり、（ｂ）はハーネスガイドを後方から見た斜視図である。
【図１０】ワイヤーハーネスの一例を示す平面図である。
【図１１】リールユニットを前方から見た分解斜視図である。
【図１２】リールモジュールの分解斜視図である。
【図１３】リールユニットを下方から見た分解斜視図である。
【図１４】リール表示ユニットを後方から見た分解斜視図である。
【図１５】リール表示装置を前方から見た斜視図である。
【図１６】リール表示装置を後方から見た斜視図である。
【図１７】リール表示装置の側断面図である。
【図１８】リール表示装置の平断面図である。
【図１９】（ａ）はリール表示装置の変形例を前方から見た斜視図であり、（ｂ）はリール表示装置の変形例を後方から見た斜視図である。
【発明を実施するための形態】
【０００９】
以下、本発明の好ましい実施形態について図面を参照して説明する。まず、図１〜図４を参照しながら、遊技機の実施形態としてスロットマシンＳＭの概要について説明する。なお、本実施形態において、図１（ａ）の各矢印で示す方向をそれぞれ、上下方向、前後方向、左右方向として説明する。スロットマシンＳＭは、箱状の基体部１０と、前面扉２０とを主体に構成される。図２に示すように、基体部１０は前方に開口１０ａを有する箱状に形成され、基体部１０の前部に前面扉２０が取り付けられる。前面扉２０は、ヒンジ機構５ａ，５ｂを用いて基体部１０の左前部に枢支され、基体部１０の開口１０ａを揺動開閉可能に構成される。
【００１０】
基体部１０の内部下側には、スロットマシンＳＭに搭載された種々の装置に電源を供給する電源ユニット１３や、メダルを貯留しておくホッパー１４ａを備えるメダル払出装置１４が設けられている。基体部１０の内部中央には、スロットマシンＳＭで行われる遊技を全体的に制御する主制御装置１５が設けられている。基体部１０の内部上側には、３つのリール１０２ａ，１０２ｂ，１０２ｃを備えるリールユニット１００が設けられ、前面扉２０に設けられたリール表示窓２１２を通して３つのリール１０２ａ，１０２ｂ，１０２ｃに描かれている図柄を視認することができるようになっている。図３に示すように、基体部１０の後面部１０ｂの中央には、外部からメダル払出装置１４のホッパー１４ａにメダルを補給するためのメダル補給孔１８が形成されており、このメダル補給孔１８に外部のメダル補給装置ＭＥ（メダルを流下させるメダル補給筒ＭＥａ）を挿通可能に（もしくは、連結可能に）構成されている。
【００１１】
図１および図４に示すように、前面扉２０には前面枠２１が形成されており、前面枠２１の略中央部に、所定の演出画像を表示する画像表示装置２２が設けられている。前面扉２０の前面側中央には、画像表示装置２２の下方に位置して操作パネル２３が設けられている。操作パネル２３の前面側には、スタートスイッチ２４、および３つのストップスイッチ２５ａ，２５ｂ，２５ｃが設けられている。操作パネル２３の上面側には、各種ベットスイッチ２６、各種演出操作スイッチ２７、およびメダル投入口２８が設けられている。前面扉２０の前面側上部には、リール表示窓２１２を有したリール表示ユニット２００、および左右のフィーバーランプ３１，３２が設けられている。前面扉２０の前面側下部には、メダル払出装置１４から払い出されたメダルが貯留される受け皿３３が設けられている。
【００１２】
前面扉２０が基体部１０の開口１０ａを閉じた状態では、前面扉２０の後面側が基体部１０の内部側に位置する。この前面扉２０の後面側には、図２および図４に示すように、スロットマシンＳＭの演出制御を統括的に行う副制御装置３５、および左右の下部スピーカー３８，３９が設けられている。
【００１３】
次に、主制御装置１５および副制御装置３５の電気的な接続について、図５を参照しながら説明する。主制御装置１５は、遊技機制御用チップを備えた回路基板である主制御基板１６と、主制御基板１６を内部に収容する箱状の主制御基板ケース１７とを有して構成される。副制御装置３５は、遊技機制御用チップを備えた回路基板である副制御基板３６と、副制御基板３６を内部に収容する箱状の副制御基板ケース３７とを有して構成される。副制御基板３６は、主制御基板１６から一方向に送信される情報を受信するように主制御基板１６と電気的に接続される。
【００１４】
主制御基板１６には、電源ユニット１３、リールユニット１００、メダル払出装置１４、スタートスイッチ２４、および各ストップスイッチ２５ａ，２５ｂ，２５ｃ等が電気的に接続される。副制御基板３６には、電源ユニット１３、画像表示装置２２、上下のスピーカー３８，３９，２４３，２５３、および各種ランプ基板１２６，２２４，２３４等が電気的に接続される。なお、電源ユニット１３は、主制御基板１６および主制御基板１６に加えて、遊技を行うためのリールユニット１００と電気的に接続され、さらにリールユニット１００を介して遊技の結果に応じてメダルを払い出すメダル払出装置１４と電気的に接続されるようになっている。また、主制御基板１６および副制御基板３６と各電気部品との電気的な接続は、各種ワイヤーハーネスを用いて行われる。
【００１５】
次に、主制御装置１５の支持構造について、図６〜図７を参照して説明する。主制御装置１５は、基体部１０の後面部１０ｂの中央内側に固設されたブラケット部材５０に取り付け支持される。ブラケット部材５０は、樹脂材料を用いて、主制御基板ケース１７の外周形状に合わせた矩形板状に形成される。ブラケット部材５０には、主制御装置１５（主制御基板ケース１７）とともにブラケット部材５０を基体部１０の後面部１０ｂの内側に取り付けるための４つの取付ボス５１，５１，…が形成されている。ネジ等の固定部材（図示せず）を基体部１０の後面部１０ｂのネジ穴と取付ボス５１のネジ穴に挿通させて固定することにより、主制御装置１５およびブラケット部材５０が基体部１０の後面部１０ｂの中央内側に（メダル補給孔１８の上方に）取り付けられる。
【００１６】
なお、基体部１０の後面部１０ｂにおける主制御装置１５と重なる部分に、上下に延びる３つの窓穴１９，１９，…が形成される。また、ブラケット部材５０における３つの窓穴１９，１９，…と重なる部分には、外部から各窓穴１９，１９，…を介して主制御装置１５の後面側を視認できるように、３つの観察穴５２，５２，…が形成される。
【００１７】
以上のように構成されるブラケット部材５０によって、主制御装置１５が基体部１０の後面部１０ｂ（メダル補給孔１８）から所定間隔（基体部１０のメダル補給孔１８からメダル払出装置１４にメダルを補給する際に生じるノイズの影響を受けない間隔）だけ離れて支持されるようになっている。これにより、メダル補給装置ＭＥを用いて、基体部１０のメダル補給孔１８からメダル払出装置１４のホッパー１４ａに補給用のメダルを供給する際、メダル補給装置ＭＥのメダル補給筒ＭＥａにメダルが衝突してノイズが発生しても、主制御装置１５が基体部１０のメダル補給孔１８から離れているため、主制御装置１５に対して影響を及ぼすことはない。また、ブラケット部材５０に、基体部１０の窓穴１９を介して主制御装置１５の後面側を視認できるように観察穴５２が形成されているため、主制御装置１５が基体部１０の後面部１０ｂ（メダル補給孔１８）から離れて支持された構成であっても、主制御装置１５の後面側における不正行為の痕跡を容易に発見することができる。このように、本実施形態によれば、主制御装置１５に対する不正行為を防止しつつ、主制御装置１５に対するノイズの影響をより確実に抑えることができる。
【００１８】
なお、主制御装置１５は、副制御装置３５とほぼ同じ高さになるように配置される。これにより、主制御装置１５と副制御装置３５とに繋がる基板用ワイヤーハーネス６０が、図２の二点鎖線で示すように主制御装置１５の左側から副制御装置３５に向けて前方に延び、基体部１０の左側面部１０ｃの内側に最短距離で配線可能となる。
【００１９】
そこで、主制御装置１５と副制御装置３５との間の配線構造について、図６〜図１０を参照して説明する。上述したように、主制御装置１５（主制御基板１６）と副制御装置３５（副制御基板３６）とは、基板用ワイヤーハーネス６０により電気的に接続され、基体部１０の左側面部１０ｃの内側に、主制御装置１５とほぼ同じ高さで前後方向に延びるハーネスガイド７０が設けられている。
【００２０】
基板用ワイヤーハーネス６０は、例えば図１０に示すように、複数の電気コードからなるハーネス部６１と、ハーネス部６１の一端に設けられた第１コネクタ部６２と、ハーネス部６１の他端に設けられた第２コネクタ部６３と、ハーネス部６１の一端側を覆う第１保護チューブ６４と、ハーネス部６１の他端側を覆う第２保護チューブ６５とを有している。第１保護チューブ６４と第２保護チューブ６５との間には、ハーネス部６１の一部を露出させる間隙部が形成される。このように、第１保護チューブ６４と第２保護チューブ６５との間に間隙部（遊び）を設けることで、第１保護チューブ６４および第２保護チューブ６５の長さをハーネス部６１の長さに合わせる必要がないため、ハーネス部６１と第１保護チューブ６４および第２保護チューブ６５の寸法公差を緩和することが可能となる。これにより、第１保護チューブ６４および第２保護チューブ６５によって、基板用ワイヤーハーネス６０に対する不正行為を防止しつつ、基板用ワイヤーハーネス６０を容易に作製することができる。なお、他のワイヤーハーネスについても、基板用ワイヤーハーネス６０と同様の構成にすれば、ワイヤーハーネスに対する不正行為を防止しつつ、ワイヤーハーネスを容易に作製することができる。
【００２１】
ハーネスガイド７０は、図７〜図９に示すように、樹脂材料を用いて前後方向に延びるブロック状に形成され、ネジ等の固定部材（図示せず）を用いて基体部１０の左側面部１０ｃの内側に取り付けられる。ハーネスガイド７０の右側面には、基板用ワイヤーハーネス６０に当接可能な第１ガイド面７１が形成される。また、ハーネスガイド７０の上面の後端部には、リールユニット１００とメダル払出装置１４とに繋がるホッパー用ワイヤーハーネス６６に当接可能な第２ガイド面７２が形成される。
【００２２】
第１ガイド面７１は、基体部１０の左側面部１０ｃに沿って前後方向に延びる平面であり、図７および図８に示すように、主制御装置１５の左側から延びる基板用ワイヤーハーネス６０に当接して、基板用ワイヤーハーネス６０を前方に（前面扉２０の方に）案内可能に構成される。なお、基板用ワイヤーハーネス６０は、基体部１０と前面扉２０とに跨る他のワイヤーハーネスとともに、第１束線具８１によって束ねられ、基板用ワイヤーハーネス６０において第１束線具８１に束ねられる部分が第１ガイド面７１の前部に当接可能に構成されている。なお、基体部１０と前面扉２０とに跨る他のワイヤーハーネスとして、例えば、電源ユニット１３と副制御装置３５（副制御基板３６）とを電気的に接続させるワイヤーハーネス（図示せず）や、主制御装置１５（主制御基板１６）とスタートスイッチ２４および各ストップスイッチ２５ａ，２５ｂ，２５ｃの中継端子板とを電気的に接続させるワイヤーハーネス（図示せず）等がある。第１ガイド面７１の前部は、基体部１０の左側面部１０ｃから離れるように傾斜しており、基板用ワイヤーハーネス６０を含む第１束線具８１に束ねられたワイヤーハーネスを、基体部１０の左側面部１０ｃから離れる方向に曲げるように案内する。
【００２３】
第２ガイド面７２は、ハーネスガイド７０の上面の後端部において傾斜した曲面であり、図７に示すように、基体部１０の左側面部１０ｃに沿って上下方向に延びるホッパー用ワイヤーハーネス６６に当接して、ホッパー用ワイヤーハーネス６６をハーネスガイド７０の後方に（基体部１０の後面部１０ｂの方に）案内可能に構成される。これにより、ホッパー用ワイヤーハーネス６６の下端側は、基体部１０の後面部１０ｂとハーネスガイド７０との間隙部を通ってメダル払出装置１４に接続される。また、ホッパー用ワイヤーハーネス６６の上端側は、基体部１０の左側面部１０ｃの内側に設けられた第２束線具８２を介してリールユニット１００の中継基板１２１（図１３を参照）に接続される。
【００２４】
なお、第２束線具８２には、ホッパー用ワイヤーハーネス６６とともに、リールユニット１００の中継基板１２１と電源ユニット１３とに繋がる、メダル払出装置１４に対する電力供給用の中継用ワイヤーハーネス６７（図７を参照）が束ねられる。中継用ワイヤーハーネス６７の上端側は、リールユニット１００の中継基板１２１に接続され、中継用ワイヤーハーネス６７の下端側は、基体部１０の後面部１０ｂとハーネスガイド７０との間隙部を通ってメダル払出装置１４に接続される。
【００２５】
以上のように構成されるハーネスガイド７０において、第１ガイド面７１の前部は、基体部１０の左側面部１０ｃから離れるように傾斜している。これにより、基板用ワイヤーハーネス６０を含む第１束線具８１に束ねられたワイヤーハーネスは、第１ガイド面７１に沿って基体部１０の左側面部１０ｃから離れる方向に曲がるように案内されるため、前面扉２０の開閉動作において、前面扉２０と基体部１０との隙間の方に撓むことが防止される。そのため、前面扉２０を基体部１０に対して閉じたときに、前面扉２０と基体部１０との隙間に基板用ワイヤーハーネス６０等が挟まれるのを防止することができる。また、基体部１０の左側面部１０ｃと基板用ワイヤーハーネス６０との間にハーネスガイド７０が設けられるため、基体部１０の左側面部１０ｃに穴が開けられても、基板用ワイヤーハーネス６０に対して不正にアクセスされることを防止することが期待できる。このように、本実施形態によれば、基板用ワイヤーハーネス６０に対する不正なアクセスを防止しつつ、前面扉２０と基体部１０との隙間に基板用ワイヤーハーネス６０等が挟まれるのを防止することができる。
【００２６】
なお、前述したように、ハーネスガイド７０の第２ガイド面７２によって、リールユニット１００の中継基板１２１（図１３を参照）とメダル払出装置１４とに繋がるホッパー用ワイヤーハーネス６６が案内されるようになっている。そこで、ホッパー用ワイヤーハーネス６６が繋がるリールユニット１００について、図１１〜図１３を参照して説明する。リールユニット１００は、図１１および図１３に示すように、第１〜第３リールモジュール１０１ａ〜１０１ｃと、リールモジュール収容部１１１と、第１〜第３ケース部材１１６〜１１８と、リール中継基板１２１と、バックランプ基板１２６とを有して構成される。
【００２７】
第１リールモジュール１０１ａは、図１２に示すように、第１リール１０２ａと、バックランプ１０３と、リールモータ１０４と、基準位置検出センサ１０５と、リールブラケット１０６とを有して構成される。第１リール１０２ａは、外周部に所定の図柄が描かれた円筒状に形成され、リールモータ１０４のモータ軸に結合される。バックランプ１０３は、第１リール１０２ａの内側に位置して前方を向くようにリールブラケット１０６に取り付けられ、図柄が描かれた第１リール１０２ａの外周部を内側から照明可能に構成される。リールモータ１０４は、第１リール１０２ａとともにリールブラケット１０６に取り付けられ、第１リール１０２ａを回転駆動するようになっている。基準位置検出センサ１０５は、第１リール１０２ａの内側に形成されたセンサードグ１０９を検出可能な位置でリールブラケット１０６に取り付けられ、第１リール１０２ａの回転基準位置を検出するようになっている。リールブラケット１０６は、樹脂材料を用いて板状に形成され、リールブラケット１０６の左側面に、バックランプ１０３、リールモータ１０４、および基準位置検出センサ１０５がそれぞれ取り付けられるようになっている。
【００２８】
第２リールモジュール１０１ｂは、第１リールモジュール１０１ａと同様に、第２リール１０２ｂと、バックランプ１０３と、リールモータ１０４と、基準位置検出センサ１０５と、リールブラケット１０６とを有して構成される。第２リール１０２ｂは、図柄が異なる他は、第１リール１０２ａと同様に形成される。バックランプ１０３、リールモータ１０４、基準位置検出センサ１０５、およびリールブラケット１０６は、第１リールモジュール１０１ａと同様の構成であり、詳細な説明を省略する。
【００２９】
第３リールモジュール１０１ｃは、第１リールモジュール１０１ａと同様に、第３リール１０２ｃと、バックランプ１０３と、リールモータ１０４と、基準位置検出センサ１０５と、リールブラケット１０６とを有して構成される。第３リール１０２ｃは、図柄が異なる他は、第１リール１０２ａと同様に形成される。バックランプ１０３、リールモータ１０４、基準位置検出センサ１０５、およびリールブラケット１０６は、第１リールモジュール１０１ａと同様の構成であり、詳細な説明を省略する。
【００３０】
リールモジュール収容部１１１は、図１１および図１３に示すように、樹脂材料を用いて前後に開口を有する箱状に形成され、第１〜第３リールモジュール１０１ａ〜１０１ｃを左右に並べて収容可能に構成される。なお、第１リールモジュール１０１ａがリールモジュール収容部１１１の左側に収容され、第２リールモジュール１０１ｂがリールモジュール収容部１１１の中央に収容され、第３リールモジュール１０１ｃがリールモジュール収容部１１１の右側に収容されるようになっている。リールモジュール収容部１１１の下側に、第１〜第３ケース部材１１６〜１１８が取り付けられるようになっており、第１ケース部材１１６と第２ケース部材１１７との間に中継基板１２１が収容され、第２ケース部材１１７と第３ケース部材１１８との間にバックランプ基板１２６が収容されるようになっている。
【００３１】
第１ケース部材１１６は、樹脂材料を用いて下方に開口した箱状に形成され、リールモジュール収容部１１１の下側に取り付けられる。第２ケース部材１１７は、樹脂材料を用いて蓋状に形成され、第１ケース部材１１６に対してリール中継基板１２１を覆うように取り付けられる。なお、第１ケース部材１１６の内側に、リール中継基板１２１が取り付けられる。第３ケース部材１１８は、樹脂材料を用いて蓋状に形成され、第２ケース部材１１７に対してバックランプ基板１２６を覆うように取り付けられる。なお、第３ケース部材１１８の内側に、バックランプ基板１２６が取り付けられる。
【００３２】
リール中継基板１２１は、主制御装置１５（主制御基板１６）と電気的に接続され、主制御装置１５から送信されたリール制御信号に応じて、第１〜第３リールモジュール１０１ａ〜１０１ｃの各リールモータ１０４の回転駆動制御を行う。リール中継基板１２１の右側には、電源ユニット１３と電気的に接続するための電源コネクタ１２２と、主制御装置１５と電気的に接続するための主制御コネクタ１２３とが配設される。リール中継基板１２１の前側には、第１〜第３リールモジュール１０１ａ〜１０１ｃの各リールモータ１０４と電気的に接続するための第１〜第３リール制御コネクタ１２４ａ〜１２４ｃが配設される。リール中継基板１２１の左側には、中継用ワイヤーハーネス６７（図７を参照）を介して電源ユニット１３と電気的に接続するための第１中継コネクタ１２５ａと、ホッパー用ワイヤーハーネス６６（図７を参照）を介してメダル払出装置１４と電気的に接続するための第２中継コネクタ１２５ｂとが設けられる。
【００３３】
バックランプ基板１２６は、副制御装置３５（副制御基板３６）と電気的に接続され、副制御装置３５から送信されたランプ制御信号に応じて、第１〜第３リールモジュール１０１ａ〜１０１ｃの各バックランプ１０３の発光制御を行う。リール中継基板１２１およびバックランプ基板１２６が収容された第１〜第３ケース部材１１６〜１１８の前方は、リールモジュール収容部１１１の前下部に形成された下フランジ部１１２に覆われるようになっている。下フランジ部１１２の左側には、リール中継基板１２１の第１中継コネクタ１２５ａおよび第２中継コネクタ１２５ｂを視認可能な左確認穴１１３が形成される。下フランジ部１１２の右側には、リール中継基板１２１の電源コネクタ１２２および主制御コネクタ１２３を視認可能な右確認穴１１４が形成される。このように、左確認穴１１３および右確認穴１１４が形成されることで、リールユニット１００を基体部１０に収容した後の配線作業を容易に行うことができる。
【００３４】
以上のように構成されるリールユニット１００は、図６に示すように、基体部１０の上面部１０ｄの内側に取り付けられた左右の取付レール１３１，１３２に前後方向にスライド移動自在に取り付けられ、ネジ等の固定部材を用いて基体部１０の内部上側に固定される。このようにして、リールユニット１００が基体部１０の上部に収容される。これにより、例えばスロットマシンＳＭを遊技島（図示せず）に設置するとき等、必要に応じて、基体部１０に収容されたリールユニット１００を容易に移動させることができるため、スロットマシンＳＭを島設備（図示せず）に設置する際、釘等の固定手段を用いた島設備に対する基体部１０の固定作業を容易に行うことができる。
【００３５】
また、第１〜第３リールモジュール１０１ａ〜１０１ｃの各リールモータ１０４として、従来よりも発熱量が少ない仕様のステッピングモータが用いられている。これにより、放熱を行うための金属材料を使用する必要がなくなり、第１〜第３リールモジュール１０１ａ〜１０１ｃの各リールブラケット１０６やリールモジュール収容部１１１が樹脂材料を用いて形成可能となる。そのため、リールユニット１００の過熱を抑えつつ、リールユニット１００を軽量化することが可能である。なお、リールモジュール収容部１１１を前後に開口を有する箱状に一体成型することにより、リールモジュール収容部１１１の強度を（金属材料を用いた）従来のものと同等に保つことが可能である。
【００３６】
また、リール中継基板１２１には、中継用ワイヤーハーネス６７を介して電源ユニット１３と電気的に接続するための第１中継コネクタ１２５ａと、ホッパー用ワイヤーハーネス６６を介してメダル払出装置１４と電気的に接続するための第２中継コネクタ１２５ｂとが設けられる。これにより、リール中継基板１２１を介して電源ユニット１３とメダル払出装置１４とが電気的に接続され、電源ユニット１３とメダル払出装置１４との間の配線が複雑となる。また、中継用ワイヤーハーネス６７およびホッパー用ワイヤーハーネス６６を前方から視認可能な配線とすることで、中継用ワイヤーハーネス６７およびホッパー用ワイヤーハーネス６６に対する不正行為を容易に発見することが可能である。このように、本実施形態によれば、電源ユニット１３とメダル払出装置１４とに繋がるワイヤーハーネスに対する不正行為を防止することができる。
【００３７】
前述したように、前面扉２０におけるリールユニット１００の前方には、リール表示窓２１２を有したリール表示ユニット２００が設けられる。そこで、リール表示ユニット２００について、図１４〜図１８を参照して説明する。リール表示ユニット２００は、フロントカバー２０１と、リール表示装置２１１とを主体に構成され、図４に示すように、前面扉２０の前面枠２１に形成された取付用開口２１ａに対してこの取付用開口２１ａを塞いで前方を向くように取り付けられる。フロントカバー２０１は、前部に透明または半透明の部材を用いて構成され、リール表示装置２１１の前方穴部を覆うようにリール表示装置２１１と結合される。なお、図１７に示すように、フロントカバー２０１の上部には、上フィーバーランプ２０２がリール表示装置２１１の上方に位置して設けられる。
【００３８】
リール表示装置２１１は、図１４および図１５に示すように、リール表示窓２１２と、左右の発光表示部２２１，２３１と、左右の上部スピーカー部２４１，２５１とを有して構成される。リール表示窓２１２は、中央に窓穴を有する窓枠部材２１３と、フロントカバー２０１における窓枠部材２１３の窓穴を覆う中央部分とから構成される。フロントカバー２０１の中央部分は、３つのリール１０２ａ，１０２ｂ，１０２ｃを視認可能な透明な部材を用いて構成される。
【００３９】
左発光表示部２２１は、図１４に示すように、窓枠部材２１３の左側に形成された左ランプハウス２２２と、左ランプ基板２２６と、左サイドカバー２２８と、フロントカバー２０１における左ランプハウス２２２の前部のランプ穴を覆う中央左部分とから構成される。フロントカバー２０１の中央左部分は、所定の装飾が描かれた透光性を有する部材を用いて構成される。図１５に示すように、左ランプハウス２２２の内部には、上下方向に一列に並んで仕切られた５つの左ランプ収容空間２２３ａ〜２２３ｅが角穴状に形成される。左ランプハウス２２２の左側部には、５つの左ランプ収容空間２２３ａ〜２２３ｅと繋がる５つの左ランプ取付穴２２４ａ〜２２４ｅが上下方向に一列に並んで形成される。
【００４０】
左ランプ基板２２６の表面には、５つの左ＬＥＤランプ２２７ａ〜２２７ｅが一列に並んで配設されている。左ランプ基板２２６は、左ランプハウス２２２の左側部に５つの左ランプ取付穴２２４ａ〜２２４ｅを塞ぐように取り付けられ、５つの左ＬＥＤランプ２２７ａ〜２２７ｅがそれぞれ５つの左ランプ取付穴２２４ａ〜２２４ｅを介して５つの左ランプ収容空間２２３ａ〜２２３ｅに位置するように構成される。また、左ランプ基板２２６は、副制御装置３５（副制御基板３６）と電気的に接続され、副制御装置３５から送信されたランプ制御信号に応じて、５つの左ＬＥＤランプ２２７ａ〜２２７ｅの発光制御を行う。
【００４１】
左サイドカバー２２８は、樹脂材料を用いて板状に形成され、図１６に示すように、左ランプ基板２２６と左ランプハウス２２２の後部側を覆うように左ランプハウス２２２に取り付けられる。図１７に示すように、左ランプハウス２２２および左サイドカバー２２８の後部には、５つの左ランプ収容空間２２３ａ〜２２３ｅが基体部１０の内部空間と連通するように５つの左連通穴２２９ａ〜２２９ｅが一列に並んで形成されている。
【００４２】
右発光表示部２３１は、図１４に示すように、窓枠部材２１３の右側に形成された右ランプハウス２３２と、右ランプ基板２３６と、右サイドカバー２３８と、フロントカバー２０１における右ランプハウス２３２の前部のランプ穴を覆う中央右部分とから構成される。フロントカバー２０１の中央右部分は、所定の装飾が描かれた透光性を有する部材を用いて構成される。図１５に示すように、右ランプハウス２３２の内部には、上下方向に一列に並んで仕切られた５つの右ランプ収容空間２３３ａ〜２３３ｅが角穴状に形成される。右ランプハウス２３２の右側部には、５つの右ランプ収容空間２３３ａ〜２３３ｅと繋がる５つの右ランプ取付穴（図１８において上端の右ランプ取付穴２３４ａのみを示す）が上下方向に一列に並んで形成される。
【００４３】
図１４に示すように、右ランプ基板２３６の表面には、５つの右ＬＥＤランプ２３７ａ〜２３７ｅが一列に並んで配設されている。右ランプ基板２３６は、図１８に示すように、右ランプハウス２３２の右側部に５つの右ランプ取付穴（２３４ａ）を塞ぐように取り付けられ、５つの右ＬＥＤランプ２３７ａ〜２３７ｅがそれぞれ５つの右ランプ取付穴（２３４ａ）を介して５つの右ランプ収容空間２３３ａ〜２３３ｅに位置するように構成される。また、右ランプ基板２３６は、副制御装置３５（副制御基板３６）と電気的に接続され、副制御装置３５から送信されたランプ制御信号に応じて、５つの右ＬＥＤランプ２３７ａ〜２３７ｅの発光制御を行う。
【００４４】
右サイドカバー２３８は、樹脂材料を用いて板状に形成され、図１６に示すように、右ランプ基板２３６と右ランプハウス２３２の後部側を覆うように右ランプハウス２３２に取り付けられる。図１６および図１８に示すように、右ランプハウス２３２および右サイドカバー２３８の後部には、５つの右ランプ収容空間２３３ａ〜２３３ｅが基体部１０の内部空間と連通するように５つの右連通穴２３９ａ〜２３９ｅが一列に並んで形成されている。
【００４５】
左上部スピーカー部２４１は、図１４に示すように、左上部スピーカーカバー２４２と、左上部スピーカー２４３と、左上部リアカバー２４４とから構成され、窓枠部材２１３における左発光表示部２２１（左ランプハウス２２２）の左側に配設される。なお、図１５〜図１８において、左上部スピーカー部２４１の図示を省略している。左上部スピーカーカバー２４２は、窓枠部材２１３の左前部に取り付けられて、左上部スピーカー２４３の前方を覆うように構成される。左上部スピーカー２４３は、窓枠部材２１３の左後部に前方を向いて取り付けられ、前方に向けて放音可能に構成される。左上部リアカバー２４４は、左上部スピーカー２４３の後部に、左上部スピーカー２４３の後部を覆うように取り付けられる。
【００４６】
右上部スピーカー部２５１は、図１４に示すように、右上部スピーカーカバー２５２と、右上部スピーカー２５３と、右上部リアカバー２５４とから構成され、窓枠部材２１３における右発光表示部２３１（右ランプハウス２３２）の右側に配設される。なお、図１５〜図１７において、右上部スピーカー２５３の図示を省略している。右上部スピーカーカバー２５２は、窓枠部材２１３の右前部に取り付けられて、右上部スピーカー２５３の前方を覆うように構成される。右上部スピーカー２５３は、窓枠部材２１３の右後部に前方を向いて取り付けられ、前方に向けて放音可能に構成される。右上部リアカバー２５４は、右上部スピーカー２５３の後部に、右上部スピーカー２５３の後部を覆うように取り付けられる。
【００４７】
以上のように構成されるリール表示ユニット２００において、いわゆるＡＲＴ（アシスト・リプレイ・タイム）と称される特定の遊技状態になると、副制御装置３５から左右のランプ基板２２６，２３６にランプ制御信号が送信される。左ランプ基板２２６は、副制御装置３５から送信されたランプ制御信号に応じて、５つの左ＬＥＤランプ２２７ａ〜２２７ｅの発光制御を行い、右ランプ基板２３６は、副制御装置３５から送信されたランプ制御信号に応じて、５つの右ＬＥＤランプ２３７ａ〜２３７ｅの発光制御を行う。
【００４８】
左ＬＥＤランプ２２７ａ〜２２７ｅで発光した光は、左ランプ収容空間２２３ａ〜２２３ｅを通ってフロントカバー２０１の中央左部分を透過し、左発光表示部２２１において所定の装飾が発光表示される。右ＬＥＤランプ２３７ａ〜２３７ｅで発光した光は、右ランプ収容空間２３３ａ〜２３３ｅを通ってフロントカバー２０１の中央右部分を透過し、右発光表示部２３１において所定の装飾が発光表示される。これにより、左発光表示部２２１および右発光表示部２３１は、ＡＲＴと称される遊技状態である旨の発光表示を行うことができる。なお、ＡＲＴと称される遊技状態の間、５つの左ＬＥＤランプ２２７ａ〜２２７ｅが全て連続して発光するようにしてもよく、５つの左ＬＥＤランプ２２７ａ〜２２７ｅのうちの少なくともいずれかが連続して発光し、他の残りが点滅して発光するようにしてもよい。同様に、５つの右ＬＥＤランプ２３７ａ〜２３７ｅが全て連続して発光するようにしてもよく、５つの右ＬＥＤランプ２３７ａ〜２３７ｅのうちの少なくともいずれかが連続して発光し、他の残りが点滅して発光するようにしてもよい。
【００４９】
またこのとき、左発光表示部２２１における左ランプハウス２２２の後部に左連通穴２２９ａ〜２２９ｅが形成されているため、左ＬＥＤランプ２２７ａ〜２２７ｅから左ランプ収容空間２２３ａ〜２２３ｅに放出された熱を左連通穴２２９ａ〜２２９ｅから（基体部１０の内部空間に）逃がすことができる。また、右発光表示部２３１における右ランプハウス２３２の後部に右連通穴２３９ａ〜２３９ｅが形成されているため、右ＬＥＤランプ２３７ａ〜２３７ｅから右ランプ収容空間２３３ａ〜２３３ｅに放出された熱を右連通穴２３９ａ〜２３９ｅから（基体部１０の内部空間に）逃がすことができる。これにより、本実施形態によれば、左ＬＥＤランプ２２７ａ〜２２７ｅおよび右ＬＥＤランプ２３７ａ〜２３７ｅからの放熱による左ランプハウス２２２および右ランプハウス２３２内の温度上昇を抑えることが可能になり、左ＬＥＤランプ２２７ａ〜２２７ｅおよび右ＬＥＤランプ２３７ａ〜２３７ｅによる左発光表示部２２１および右発光表示部２３１の過熱をより確実に抑えることができる。
【００５０】
また、左ランプ基板２２６および右ランプ基板２３６が左ランプハウス２２２および右ランプハウス２３２の側部に取り付けられ、左ＬＥＤランプ２２７ａ〜２２７ｅおよび右ＬＥＤランプ２３７ａ〜２３７ｅがランプ取付穴を介して左ランプ収容空間２２３ａ〜２２３ｅおよび右ランプ収容空間２３３ａ〜２３３ｅに位置するように構成される。これにより、左ランプハウス２２２および右ランプハウス２３２の後部に左連通穴２２９ａ〜２２９ｅおよび右連通穴２３９ａ〜２３９ｅを大きく形成することができるため、左ランプ収容空間２２３ａ〜２２３ｅおよび右ランプ収容空間２３３ａ〜２３３ｅに放出された熱を効率よく逃がすことが可能になる。そのため、左ＬＥＤランプ２２７ａ〜２２７ｅおよび右ＬＥＤランプ２３７ａ〜２３７ｅからの放熱による左ランプハウス２２２および右ランプハウス２３２内の温度上昇をより確実に抑えることが可能になり、左ＬＥＤランプ２２７ａ〜２２７ｅおよび右ＬＥＤランプ２３７ａ〜２３７ｅによる左発光表示部２２１および右発光表示部２３１の過熱をより確実に抑えることができる。
【００５１】
また、左連通穴２２９ａ〜２２９ｅおよび右連通穴２３９ａ〜２３９ｅは、左ランプハウス２２２および右ランプハウス２３２の後部に複数形成されている。このように、ランプの数に応じた数の連通穴を形成することで、複数の左ＬＥＤランプ２２７ａ〜２２７ｅおよび右ＬＥＤランプ２３７ａ〜２３７ｅが設けられた場合においても、左発光表示部２２１および右発光表示部２３１の過熱をより確実に抑えることができる。
【００５２】
なお、左連通穴２２９ａ〜２２９ｅおよび右連通穴２３９ａ〜２３９ｅの少なくともいずれかに、左ＬＥＤランプ２２７ａ〜２２７ｅおよび右ＬＥＤランプ２３７ａ〜２３７ｅの発光を検出する光学センサを取り付けることも可能である。このような光学センサから出力される検出信号を外部で受信するようにすれば、左ＬＥＤランプ２２７ａ〜２２７ｅおよび右ＬＥＤランプ２３７ａ〜２３７ｅの異常を早期に発見することが可能である。
【００５３】
また、例えば図１９（ａ）に示すように、単色もしくはマルチカラーのＬＥＤランプ２５７を上端の左連通穴２２９ａに挿入し、上端の左ＬＥＤランプ２２７ａとともに発光させて当該左ＬＥＤランプ２２７ａの発光色に異なる色を加えることで、遊技店ごとにランプ演出のカスタマイズを行わせるようにすることも可能である。また、例えば図１９（ｂ）に示すように、光学センサ２６７を上端の右連通穴２３９ａに挿入し、遊技の結果に影響を与える各ストップスイッチ２５ａ，２５ｂ，２５ｃの押し順を示唆する右ＬＥＤランプ２３７ａが正常であることを監視するランプ点灯監視手段（図示せず）を、スロットマシンＳＭの内部もしくは外部に設けることも可能である。
【００５４】
上述の実施形態において、左発光表示部２２１および右発光表示部２３１が設けられているが、これに限られるものではなく、いずれか一方にのみ設けられる構成であってもよい。また、左ランプ基板２２６および右ランプ基板２３６に、５つの左ＬＥＤランプ２２７ａ〜２２７ｅおよび右ＬＥＤランプ２３７ａ〜２３７ｅが配設されているが、これに限られるものではなく、左右のＬＥＤランプの数は、例えば１つでも３つでもよく、また左右で異なる数であってもよく、任意の数に設定可能である。
【００５５】
上述の実施形態において、左ランプ基板２２６が左ランプハウス２２２の左側部に取り付けられ、右ランプ基板２３６が右ランプハウス２３２の右側部に取り付けられているがこれに限られるものではない。例えば、ランプハウスが左右方向に延びて形成される場合には、ランプ基板がランプハウスの上側部もしくは下側部に取り付けられる構成であってもよい。
【００５６】
上述の実施形態において、左発光表示部２２１および右発光表示部２３１は、ＡＲＴと称される遊技状態である旨の発光表示を行っているが、これに限られるものではなく、例えば、いわゆるＡＴ（アシスト・タイム）と称される遊技状態である旨の発光表示を行うようにしてもよく、所定の遊技状態である旨の発光表示を行うことが可能である。
【００５７】
上述の実施形態において、本発明が適用される遊技機の一例として、遊技メダルを使用するスロットマシン（回胴式遊技機）ＳＭを例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【００５８】
ＳＭ  スロットマシン（遊技機）
ＭＥ  メダル補給装置（ＭＥａ  メダル補給筒）
１０  基体部（本体部材）
１５  主制御装置
１８  メダル補給孔
１９  窓穴
２０  前面扉（開閉部材）
３５  副制御装置
５０  ブラケット部材
５２  観察穴
６０  基板用ワイヤーハーネス
７０  ハーネスガイド
７１  第１ガイド面
７２  第２ガイド面
２００  リール表示ユニット
２０１  フロントカバー
２１１  リール表示装置
２２１  左発光表示部（発光表示装置）
２２２  左ランプハウス
２２３ａ〜２２３ｅ  左ランプ収容空間
２２４ａ〜２２４ｅ  左ランプ取付穴
２２６  左ランプ基板
２２７ａ〜２２７ｅ  左ＬＥＤランプ
２２８  左サイドカバー
２２９ａ〜２２９ｅ  左連通穴
２３１  右発光表示部（発光表示装置）
２３２  右ランプハウス
２３３ａ〜２３３ｅ  右ランプ収容空間
２３４ａ〜２３４ｅ  右ランプ取付穴
２３６  右ランプ基板
２３７ａ〜２３７ｅ  右ＬＥＤランプ
２３８  右サイドカバー
２３９ａ〜２３９ｅ  右連通穴
【図１】
2014155515.tif 000003
【図２】
2014155515.tif 000004
【図３】
2014155515.tif 000005
【図４】
2014155515.tif 000006
【図５】
2014155515.tif 000007
【図６】
2014155515.tif 000008
【図７】
2014155515.tif 000009
【図８】
2014155515.tif 000010
【図９】
2014155515.tif 000011
【図１０】
2014155515.tif 000012
【図１１】
2014155515.tif 000013
【図１２】
2014155515.tif 000014
【図１３】
2014155515.tif 000015
【図１４】
2014155515.tif 000016
【図１５】
2014155515.tif 000017
【図１６】
2014155515.tif 000018
【図１７】
2014155515.tif 000019
【図１８】
2014155515.tif 000020
【図１９】
2014155515.tif 000021